(57)【要約】【課題】スペーサによる端子の保持性能を向上可能なコネクタを提供すること。【解決手段】コネクタ１は、端子が収容される端子収容室１１を有するハウジング１０と、ハウジング１０に取り付けられて端子を端子収容室１１内に保持するスペーサ２０と、を備える。スペーサ２０は、ハウジング１０が有する取付孔１３に挿入されたとき、スペーサ２０が有する支点部Ｚを中心に挿入方向における前方側に回転移動することにより、スペーサ２０が有する係止部２７をハウジング１０が有する被係止部１９に押し付けながら被係止部１９を乗り越えさせるとともに、係止部２７を被係止部１９に係合させる、ように構成される。スペーサ２０は、支点部Ｚよりも前方側において、取付孔１３の内壁面とスペーサ２０との間に回転移動を許容する隙間Ｓが存在するように、スペーサ２０が内壁面から離れる向きに窪んだ形状を有する。【選択図】図４
2020173925.tif 000002
【特許請求の範囲】
【請求項１】
端子が収容される端子収容室を有するハウジングと、前記ハウジングに取り付けられて前記端子を前記端子収容室内に保持するスペーサと、を備える、コネクタであって、
前記スペーサは、
前記ハウジングが有する取付孔に挿入されたとき、当該スペーサが有する支点部を中心に挿入方向における前方側に回転移動することにより、当該スペーサが有する係止部を前記ハウジングが有する被係止部に押し付けながら前記被係止部を乗り越えさせるとともに、前記係止部を前記被係止部に係合させる、ように構成され、且つ、
前記支点部よりも前記前方側において、前記取付孔の内壁面と前記スペーサとの間に前記回転移動を許容する隙間が存在するように、当該スペーサが前記内壁面から離れる向きに窪んだ形状を有する、
コネクタ。
【請求項２】
請求項１に記載のコネクタにおいて、
前記スペーサは、
前記支点部よりも前記前方側において、前記支点部から離れるにつれて前記取付孔の前記内壁面と前記スペーサとの間の距離が大きくなるように、当該スペーサが面取りされた形状を有する、
コネクタ。
【請求項３】
請求項１又は請求項２に記載のコネクタにおいて、
前記支点部は、
前記取付孔の前記内壁面に当接するように前記スペーサの一の側面に設けられ、
前記係止部は、
前記一の前記側面とは反対側の前記スペーサの他の側面に設けられ、
前記支点部及び前記係止部は、
前記挿入方向における前記スペーサの中央近傍に配置される、
コネクタ。
【発明の詳細な説明】
【技術分野】
【０００１】
本発明は、端子が収容される端子収容室を有するハウジングと、端子を端子収容室内に保持するスペーサと、を備えるコネクタに関する。
【背景技術】
【０００２】
従来から、ハウジングが有する端子収容室に端子を収容した後、その端子収容室に向けて開口した取付孔にスペーサ（リテーナと呼ばれる場合もある。）を挿入して端子に接触させることで、端子収容室内の所定位置に端子を保持するように構成されたコネクタが、提案されている（例えば、特許文献１を参照）。
【先行技術文献】
【特許文献】
【０００３】
【特許文献１】特開２０００−０５８１８１号公報
【発明の概要】
【発明が解決しようとする課題】
【０００４】
上述したように構成されるコネクタでは、一般に、スペーサが端子に接触した状態でハウジングに固定されるように、スペーサに設けた係止部をハウジングに設けた被係止部に係合させるようになっている。このような係合にあたり、スペーサによる端子の保持性能を高めるべく係止部と被係止部との係止代を不用意に大きくすると、係合過程での係止部および被係止部の変形量が大きくなり、係止部および被係止部の少なくとも一方が座屈する（例えば、潰れるように変形する）場合がある。このような座屈が生じると、スペーサによる端子の保持性能を高め難くなることに加え、スペーサが意図せずハウジングから分離する可能性もある。このように、従来のコネクタでは、スペーサによる端子の保持性能を高めることは容易ではなかった。
【０００５】
本発明は、上述した事情に鑑みてなされたものであり、その目的は、スペーサによる端子の保持性能を向上可能なコネクタ、を提供することにある。
【課題を解決するための手段】
【０００６】
前述した目的を達成するために、本発明に係るコネクタは、下記［１］〜［３］を特徴としている。
［１］
端子が収容される端子収容室を有するハウジングと、前記ハウジングに取り付けられて前記端子を前記端子収容室内に保持するスペーサと、を備える、コネクタであって、
前記スペーサは、
前記ハウジングが有する取付孔に挿入されたとき、当該スペーサが有する支点部を中心に挿入方向における前方側に回転移動することにより、当該スペーサが有する係止部を前記ハウジングが有する被係止部に押し付けながら前記被係止部を乗り越えさせるとともに、前記係止部を前記被係止部に係合させる、ように構成され、且つ、
前記支点部よりも前記前方側において、前記取付孔の内壁面と前記スペーサとの間に前記回転移動を許容する隙間が存在するように、当該スペーサが前記内壁面から離れる向きに窪んだ形状を有する、
コネクタであること。
［２］
上記［１］に記載のコネクタにおいて、
前記スペーサは、
前記支点部よりも前記前方側において、前記支点部から離れるにつれて前記取付孔の前記内壁面と前記スペーサとの間の距離が大きくなるように、当該スペーサが面取りされた形状を有する、
コネクタであること。
［３］
上記［１］又は上記［２］に記載のコネクタにおいて、
前記支点部は、
前記取付孔の前記内壁面に当接するように前記スペーサの一の側面に設けられ、
前記係止部は、
前記一の前記側面とは反対側の前記スペーサの他の側面に設けられ、
前記支点部及び前記係止部は、
前記挿入方向における前記スペーサの中央近傍に配置される、
コネクタであること。
【０００７】
上記［１］の構成のコネクタによれば、ハウジングの取付孔にスペーサを挿入してハウジングにスペーサを組み付けるとき、スペーサの係止部がハウジングの被係止部に押し付けられた状態で、スペーサの支点部を中心にスペーサ自体が回転移動することで、係止部が被係止部を乗り越えるとともに、係止部と被係止部とが係合する。このとき、支点部よりも挿入方向における前方側において、取付孔の内壁面とスペーサとの間に回転移動を許容する隙間が存在する。具体的には、このような隙間を画成するように、スペーサが内壁面から離れる向きに窪んだ形状を有する。
【０００８】
このような隙間が無い場合にスペーサを回転移動させようとすると、通常、スペーサの挿入方向の前方側の最端部を支点として、スペーサが回転移動することになる。本構成のコネクタでは、上述した隙間を有することで、そのような最端部よりも支点部の位置が挿入方向の後方側に位置することになる。その結果、隙間が無いに比べ、係止部が被係止部を乗り越えるときの係止部の回転半径（即ち、係止部と支点部との間の距離）が短くなり、係止部および被係止部に生じる変形量が小さくなる。よって、スペーサによる端子の保持性能を高めるべく係止部と被係止部との係止代を大きくしても、係止部が被係止部を乗り越え易くなり、係止部および被係止部の座屈を抑制できる。
【０００９】
したがって、本構成のコネクタは、スペーサによる端子の保持性能を向上可能である。
【００１０】
上記［２］の構成のコネクタによれば、支点部よりも前方側において、支点部から離れるにつれて取付孔の内壁面とスペーサとの間の距離が大きくなるように、スペーサが面取りされることで、上述した隙間が形成される。これにより、これまで用いられているスペーサに過度な設計変更を施すことなく、本発明に係るコネクタを実現できる。
【００１１】
上記［３］の構成のコネクタによれば、スペーサを挟む２つの側面に支点部と係止部がそれぞれ配置される。更に、支点部および係止部が、挿入方向におけるスペーサの中央近傍に配置される。これにより、支点部と係止部との間の距離（即ち、係止部が被係止部を乗り越えるときの係止部の回転半径）が過度に大きくならず、係止部および被係止部の座屈を抑制しながら、スペーサによる端子の保持性能を向上可能である。
【００１２】
なお、なお、上記「中央近傍」とは、例えば、挿入方向におけるスペーサの中央部から、スペーサの厚さの３０％に相当する長さだけ挿入方向の前方側に離れた位置と、その長さだけ挿入方向の後方側に離れた位置と、に挟まれる範囲を表す。
【発明の効果】
【００１３】
このように、本発明によれば、スペーサによる端子の保持性能を向上可能なコネクタを提供できる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】図１は、本発明の実施形態に係るコネクタの斜視図であり、図１（ａ）は、スペーサが仮係止位置にあり且つ端子が挿入されていない状態を示し、図１（ｂ）は、端子が完全挿入位置に挿入され且つスペーサが本係止位置にある状態を示す。
【図２】図２（ａ）は、図１に示すスペーサの斜視図であり、図２（ｂ）は、図２（ａ）のＡ−Ａ断面図である。
【図３】図３は、スペーサが仮係止位置にあるコネクタを示し、図３（ａ）は、その平面図であり、図３（ｂ）は、図３（ａ）のＢ−Ｂ断面図である。
【図４】図４（ａ）は、図３（ｂ）のＣ部の拡大図であり、図４（ｂ）は、図４（ａ）のＤ部の拡大図である。
【図５】図５（ａ）は、スペーサが本係止位置にある状態における図４（ａ）に対応する図であり、図５（ｂ）は、図５（ａ）のＥ部の拡大図である。
【発明を実施するための形態】
【００１６】
＜実施形態＞
以下、図面を参照しながら、本発明の実施形態に係るコネクタ１について説明する。以下、説明の便宜上、図１に示すように、「前後方向」、「幅方向」、「上下方向」、「前」、「後」、「上」、及び「下」を定義する。「前後方向」、「幅方向」及び「上下方向」は、互いに直交している。前後方向は、端子３０（図１（ａ）参照）の端子収容室１１（図３（ｂ）参照）への挿入方向、及び、コネクタ１と相手側コネクタ（図示省略）との嵌合方向、と一致しており、相手側コネクタが嵌合する嵌合方向正面側（図１において左下側）が前側とされ、その反対の嵌合方向背面側（図１において右上側）が後側とされている。
【００１７】
図１に示すように、コネクタ１は、ハウジング１０と、ハウジング１０に上側から組み付けられるスペーサ２０と、を備える。スペーサ２０は、ハウジング１０に収容された端子３０の抜けを防止する機能、及び、端子３０の中途挿入状態を検知する機能を発揮する。以下、ハウジング１０及びスペーサ２０について順に説明する。
【００１８】
まず、ハウジング１０について説明する。図１及び図３に示すように、樹脂製のハウジング１０は、前後方向に延びる直方体状の端子収容部１０ａと、端子収容部１０ａの前側に位置する嵌合部１０ｂと、を一体に備える。嵌合部１０ｂは、前方に開口する矩形のフード状の形状を有しており、嵌合部１０ｂの内部空間に、相手側コネクタの相手側ハウジング（図示省略）が前方から挿入され嵌合されるようになっている。
【００１９】
端子収容部１０ａの内部には、後方に開口し前後方向に延びる複数（本例では、３つ）の端子収容室１１（図３（ｂ）参照）が、幅方向に並ぶように形成されている。各端子収容室１１と嵌合部１０ｂの内部空間とは、幅方向且つ上下方向に延びる平板状の隔壁１２（図３（ｂ）参照）によって区画されている。各端子収容室１１と嵌合部１０ｂの内部空間とは、各端子収容室１１に対応して隔壁１２に形成された前後方向に貫通する挿通孔（図示省略）によって、前後方向に連通している。
【００２０】
各端子収容室１１には、端子３０が後側から挿入されるようになっている。図１（ａ）に示すように、金属製の端子３０は、前後方向に延びる矩形箱状の箱部３１と、箱部３１の後側に位置すると共に電線４０の端末を加締め固定する電線加締め部３２と、を一体に備えるメス端子である。箱部３１の上面には、幅方向両端部から上方へ突出する一対のスタビライザ３３が一体に形成されている。箱部３１の下面には、ランス係合孔（図示省略）が形成されている。端子３０は、その先端面（具体的には、箱部３１の先端面）が隔壁１２に当接する位置（以下、「完全挿入位置」と呼ぶ）まで挿入され得るようになっている。
【００２１】
各端子３０が完全挿入位置にそれぞれ収容された状態において、ハウジング１０の嵌合部１０ｂに相手側コネクタの相手側ハウジングを嵌合させることで、相手側ハウジングに収容されている複数のオス端子（図示省略）が、隔壁１２の挿通孔を介して端子３０の箱部３１にそれぞれ挿入される。この結果、複数のオス端子と複数の端子３０とがそれぞれ電気的に接続されるようになっている。
【００２２】
各端子収容室１１には、端子収容室１１内に下側から臨むように、片持ち梁状のランス（図示省略）が、端子収容室１１の前後方向所定位置から前方へ延びるように設けられている。ランスは、端子３０を端子収容室１１内に係止するための係止片である。端子収容室１１内にて、端子３０が完全挿入位置にあるときは、ランスの先端部が端子３０のランス係合孔に進入してランス係合孔の前側縁部と係合する。これにより、ランスは、弾性変形していない正規の姿勢に維持されると共に、端子３０の後側への抜け止め機能を発揮する。一方、端子収容室１１内にて、端子３０が中途挿入位置（完全挿入位置より後側の位置）にあるときには、ランスの先端部が、ランス係合孔に進入できずに箱部３１の下側面により下向きに弾性変形された状態に維持される。この場合、ランスは、端子３０の抜け止め機能を発揮し得ない。
【００２３】
図３に示すように、ハウジング１０の端子収容部１０ａの上面には、スペーサ２０を挿入するための取付孔１３が形成されている。取付孔１３は、上下方向（即ち、スペーサ２０の挿入方向）に延びており、複数の端子収容室１１とそれぞれ連通している（図３（ｂ）参照）。
【００２４】
取付孔１３は、図３（ａ）に示すように、上方から見て、スペーサ２０の輪郭形状に対応する輪郭形状を有している。具体的には、取付孔１３の前端縁の幅方向両端部には、前方へ窪む矩形状の第１凹部１４がそれぞれ形成され、一対の第１凹部１４の間の取付孔１３の前端縁には、幅方向一側から順に、前方へ窪む矩形状の第２凹部１５、及び、前方へ窪む矩形状の第３凹部１６が形成されている。取付孔１３の後端縁の幅方向一側端部には、後方へ窪む矩形状の第４凹部１７が形成されている。
【００２５】
取付孔１３における第３凹部１６の底部（前側端部）には、後方に突出し且つ幅方向に延びる舌状の被係止部１８が形成されている。取付孔１３における後端縁には、前方に突出し且つ幅方向に延びる舌状の２つの被係止部１９が、幅方向に間隔を空けて並ぶように形成されている。以上、ハウジング１０について説明した。
【００２６】
次いで、スペーサ２０について説明する。図２に示すように、樹脂製のスペーサ２０は、幅方向に延びる矩形平板状の本体部２１を有する。本体部２１の前端部の幅方向両端部には、ハウジング１０の一対の第１凹部１４に対応して、前方へ突出する矩形状の第１凸部２２がそれぞれ形成されている。一対の第１凸部２２の間の本体部２１の前端部には、ハウジング１０の第２凹部１５及び第３凹部１６にそれぞれ対応して、幅方向一側から順に、前方へ突出する矩形状の第２凸部２３、及び、前方へ突出する矩形状の第３凸部２４が形成されている。本体部２１の後端部の幅方向一側端部には、ハウジング１０の第４凹部１７に対応して、後方へ突出する矩形状の第４凸部２５が形成されている。
【００２７】
第１〜第４凸部２２〜２５の上面（平面）は、本体部２１の上面（平面）と面一に繋がっている。第１〜第４凸部２２〜２５の厚さ（上下方向寸法）は、本体部２１の厚さ（上下方向寸法）より大きい。第１凸部２２及び第４凸部２５の厚さは等しく、第２凸部２３及び第３凸部２４の厚さは等しく、第１凸部２２及び第４凸部２５の厚さは、第２凸部２３及び第３凸部２４の厚さより大きい。本体部２１の前端面のうち第１〜第４凸部２２〜２５が形成されていない３箇所はそれぞれ、端子３０の抜け防止のために端子３０のスタビライザ３３と当接する当接面２１ａ（図２参照）として機能する。
【００２８】
スペーサ２０における第３凸部２４の先端面（前側端面）には、ハウジング１０の被係止部１８に対応して、前方に突出し且つ幅方向に延びる舌状の係止片２６が形成されている。スペーサ２０における後端面には、ハウジング１０の２つの被係止部１９に対応して、後方に突出し且つ幅方向に延びる舌状の２つの係止突起２７が、幅方向に間隔を空けて並ぶように形成されている。係止片２６及び係止突起２７は、スペーサ２０の第２、第３凸部２３，２４の下面より上側（スペーサ２０の挿入方向における後方側）に位置している。
【００２９】
スペーサ２０の第２凸部２３の先端部における下側角部には、面取りされるように切欠き部２８が形成されている。切欠き部２８は、下側に向かうにつれて後側に位置するように傾斜する傾斜面（平面）を構成している。切欠き部２８を形成したことによる作用・効果については後述される。以上、スペーサ２０について説明した。
【００３０】
次いで、コネクタ１の組み付け手順について説明する。まず、図３及び図４に示すように、スペーサ２０をハウジング１０において仮係止位置に装着する。このため、スペーサ２０を、水平に維持しながら、上側からハウジング１０の取付孔１３に挿入する。スペーサ２０が取付孔１３内を下側に移動（スライド）していく際、スペーサ２０の第１〜第４凸部２２〜２５がそれぞれ、ハウジング１０の第１〜第４凹部１４〜１７の内部に進入していく。
【００３１】
スペーサ２０の取付孔１３への挿入が進行すると、スペーサ２０の係止片２６、及び、２つの係止突起２７が、ハウジング１０の被係止部１８、及び、２つの被係止部１９に、それぞれ接触して前後方向に所定の係止代を有して係止される。これにより、スペーサ２０の仮係止位置への装着が完了する。スペーサ２０が仮係止位置にあるとき、図３（ｂ）及び図４（ａ）から理解できるように、スペーサ２０の上面がハウジング１０の上面から上側に僅かに突出した状態になる。
【００３２】
スペーサ２０が仮係止位置にある状態では、第１凹部１４の幅方向両側内面と、第１凹部１４内に位置している第１凸部２２の幅方向両側外面との間、第２凹部１５の幅方向両側内面と、第２凹部１５内に位置している第２凸部２３の幅方向両側外面との間、及び、第３凹部１６の幅方向両側内面と、第３凹部１６内に位置している第３凸部２４の幅方向両側外面との間にて、それぞれ、端子３０のスタビライザ３３を挿入するための前後方向に延びるスタビライザ挿入隙間が形成されている。
【００３３】
次いで、スペーサ２０が仮係止位置に保持された状態から、電線４０が接続された端子３０（図１（ａ）参照）を各端子収容室１１にそれぞれ挿入する。端子３０が端子収容室１１内にて完全挿入位置まで挿入されると、端子３０のスタビライザ３３が対応するスタビライザ挿入隙間に挿入された状態になる。また、端子３０が完全挿入位置まで挿入されると、上述したように、ランスが端子３０のランス係合孔に進入することで、端子３０の後側への抜け止め機能が発揮される。
【００３４】
次いで、各端子３０が完全挿入位置まで挿入された状態から、図５に示すように、仮係止位置にあるスペーサ２０を本係止位置に移動させる。このため、まず、スペーサ２０をハウジング１０に対して前側に押し付けて（スライドさせて）、スペーサ２０の第２凸部２３の先端面（前側端面）を、ハウジング１０の第２凹部１５の底面（前側端面）に当接（面接触）させる（図４（ａ）参照）。このとき、第１凹部１４の底面と第１凸部２２の先端面との間、及び、第３凹部１６の底面と第３凸部２４の先端面との間には、前後方向に隙間が存在している。
【００３５】
次いで、第２凸部２３の先端面及び第２凹部１５の底面が当接（面接触）した状態（図４（ａ）参照）から、スペーサ２０の上面における後側領域（具体的には、本体部２１の上面）を下向きに押圧する。これにより、スペーサ２０の２つの係止突起２７がハウジング１０の２つの被係止部１９に押し当てられる。その後、スペーサ２０における第２凸部２３の先端面と切欠き部２８の傾斜面との境界線部分（幅方向に延びる線状部分）を支点部Ｚ（図４（ａ）参照）として、支点部Ｚを中心に、スペーサ２０全体が、図４（ｂ）の矢印に示すように、スペーサ２０の後側が前側に対して下方に移動する向き（図４（ａ）において時計回り）に回転移動しながら、２つの係止突起２７が、２つの被係止部１９を、互いに弾性変形を伴いながら乗り越える。
【００３６】
別の見方をすると、図４（ａ）及び図４（ｂ）に示すように、少なくとも係止突起２７が被係止部１９を乗り越えて被係止部１９に係止する回転角度分だけはスペーサ２０が支点部Ｚを中心に回転移動できるように、切欠き部２８の傾斜面と取付孔１３の内壁面との間に隙間Ｓが設けられている。このような隙間Ｓはスペーサ２０の回転移動を「許容する」隙間Ｓとも称呼される。この点で、スペーサ２０と取付孔１３との間に一般的に設けられるクリアランス（ハウジング１０やスペーサ２０の製造バラツキ等を考慮して設定される隙間）は、スペーサ２０の回転移動を「許容する」隙間Ｓには該当しない。
【００３７】
支点部Ｚは、スペーサ２０の第２凸部２３の下面より上側（スペーサ２０の挿入方向における後方側）に配置され、且つ、支点部Ｚよりも下側（挿入方向における前方側）には、第２凹部１５の底面（取付孔１３の内壁面）とスペーサ２０の切欠き部２８の傾斜面との間に上述した回転移動を許容する隙間Ｓ（図４（ａ）参照）が設けられている。そのため、このような隙間Ｓが無い場合に比べ、係止突起２７が被係止部１９を乗り越えるときの係止突起２７の回転半径が小さくなる。その結果、係止突起２７の回転半径が大きい場合（即ち、切欠き部２８が形成されていない場合）に比べ、係止突起２７及び被係止部１９に生じる変形量が小さくなる。換言すると、係止突起２７と被係止部１９との係止代を大きくする場合であっても、係止突起２７が被係止部１９を乗り越え易くなる。
【００３８】
このように、２つの係止突起２７が２つの被係止部１９を乗り越えると、２つの係止突起２７が、２つの被係止部１９の下側に位置する状態で、２つの被係止部１９に、前後方向に所定の係止代を有して係止される。この状態では、スペーサ２０全体が、スペーサ２０の後側が前側に対して下方に位置する向きに傾斜している。
【００３９】
次いで、スペーサ２０の全体が傾斜した状態から、スペーサ２０の上面における前側領域（具体的には、第３凸部２４の先端部の上面）を下向きに押圧する。これにより、スペーサ２０の係止片２６がハウジング１０の被係止部１８に押し当てられる。その後、スペーサ２０全体が、スペーサ２０の前側が後側に対して下方に移動する向き（図４（ａ）において反時計回り）に回転移動しながら、係止片２６が、被係止部１８を、互いに弾性変形を伴いながら乗り越える。
【００４０】
このように、係止片２６が被係止部１８を乗り越えると、係止片２６が、被係止部１８の下側に位置する状態で、被係止部１８に、前後方向に所定の係止代を有して係止される。この結果、図５に示すように、スペーサ２０の全体が水平に復帰し、スペーサ２０の本係止位置への装着が完了する。スペーサ２０が本係止位置にあるとき、図５（ａ）から理解できるように、スペーサ２０の上面がハウジング１０の上面より下側に僅かに窪んだ状態になる。
【００４１】
スペーサ２０が本係止位置にある状態では、端子３０のスタビライザ３３の後端面が、スペーサ２０の本体部２１の当接面２１ａ（図２参照）と係合することで、端子３０の後側への抜け止め機能が発揮される。即ち、完全挿入位置にある端子３０について、ランスによる端子３０の後側への抜け止め機能との協働により、２重の抜け止め機能が発揮されることになる。
【００４２】
このように、各端子３０が完全挿入位置まで挿入された状態では、スペーサ２０の仮係止位置から本係止位置への移動が可能となる。一方、複数（具体的には３本）の端子３０のうち少なくとも１つが中途挿入位置にあると、スペーサ２０の本体部２１の下面が中途挿入位置にある端子３０のスタビライザ３３の上面と干渉して、スペーサ２０を仮係止位置から本係止位置へ移動させることができない。このため、スペーサ２０の上面がハウジング１０の上面から上側に突出した状態が維持される。このように、スペーサ２０が仮係止位置から本係止位置に移動不能であることで、端子３０の中途挿入を容易に検知することができる。
【００４３】
＜作用・効果＞
以上、本発明の実施形態に係るコネクタ１によれば、ハウジング１０の取付孔１３にスペーサ２０を挿入してハウジング１０にスペーサ２０を組み付けるとき、スペーサ２０の係止突起２７がハウジング１０の被係止部１９に押し当てられた後、スペーサ２０の支点部Ｚを中心にスペーサ２０全体が回転移動しながら係止突起２７が被係止部１９を乗り越える。このとき、支点部Ｚは、スペーサ２０の第２凸部２３の下面よりも上側（スペーサ２０の挿入方向における後方側）に配置され、且つ、支点部Ｚよりも下側（挿入方向における前方側）には、第２凹部１５の底面（取付孔１３の内壁面）とスペーサ２０の切欠き部２８の傾斜面との間にその回転移動を許容する隙間Ｓが設けられている。そのため、このような隙間Ｓが無い場合に比べ、係止突起２７が被係止部１９を乗り越えるときの係止突起２７の回転半径が小さくなる。その結果、係止突起２７の回転半径が大きい場合に比べ、係止突起２７および被係止部１９に生じる変形量が小さくなる。換言すると、係止突起２７と被係止部１９との係止代を大きくする場合であっても、係止突起２７が被係止部１９を乗り越え易くなる。したがって、本発明の実施形態に係るコネクタ１は、スペーサ２０とハウジング１０との固定性能と、係止突起２７などの潰れの抑制と、を両立可能である。
【００４４】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
上記実施形態では、スペーサ２０の２つの係止突起２７と、ハウジング１０の２つの被係止部１９とが互いに係合するように構成されている。これに対し、スペーサ２０の単一の係止突起２７と、ハウジング１０の単一の被係止部１９とが互いに係合するように構成されていてもよいし、スペーサ２０の３つ以上の係止突起２７と、ハウジング１０の３つ以上の被係止部１９とが互いに係合するように構成されていてもよい。
【００４６】
更に、上記実施形態では、ハウジング１０に収容される端子３０がメス端子であり、相手側ハウジングに収容される端子がオス端子となっている。これに対し、ハウジング１０に収容される端子３０がオス端子であり、相手側ハウジングに収容される端子がメス端子となっていてもよい。
【００４７】
ここで、上述した本発明に係るコネクタ１の実施形態の特徴をそれぞれ以下［１］〜［３］に簡潔に纏めて列記する。
［１］
端子（３０）が収容される端子収容室（１１）を有するハウジング（１０）と、前記ハウジング（１０）に取り付けられて前記端子（３０）を前記端子収容室（１１）内に保持するスペーサ（２０）と、を備える、コネクタ（１）であって、
前記スペーサ（２０）は、
前記ハウジング（１０）が有する取付孔（１３）に挿入されたとき、当該スペーサ（２０）が有する支点部（Ｚ）を中心に挿入方向における前方側に回転移動することにより、当該スペーサ（２０）が有する係止部（２７）を前記ハウジング（１０）が有する被係止部（１９）に押し付けながら前記被係止部（１９）を乗り越えさせるとともに、前記係止部（２７）を前記被係止部（１９）に係合させる、ように構成され、且つ、
前記支点部（Ｚ）よりも前記前方側において、前記取付孔（１３）の内壁面と前記スペーサ（２０）との間に前記回転移動を許容する隙間（Ｓ）が存在するように、当該スペーサ（２０）が前記内壁面から離れる向きに窪んだ形状を有する、
コネクタ（１）。
［２］
上記［１］に記載のコネクタ（１）において、
前記スペーサ（２０）は、
前記支点部（Ｚ）よりも前記前方側において、前記支点部（Ｚ）から離れるにつれて前記取付孔（１３）の前記内壁面と前記スペーサ（２０）との間の距離が大きくなるように、当該スペーサ（２０）が面取りされた形状を有する、
コネクタ（１）。
［３］
上記［１］又は上記［２］に記載のコネクタ（１）において、
前記支点部（Ｚ）は、
前記取付孔（１３）の前記内壁面に当接するように前記スペーサ（２０）の一の側面に設けられ、
前記係止部（２７）は、
前記一の前記側面とは反対側の前記スペーサ（２０）の他の側面に設けられ、
前記支点部（Ｚ）及び前記係止部（２７）は、
前記挿入方向における前記スペーサ（２０）の中央近傍に配置される、
コネクタ（１）。
【符号の説明】
【００４８】
１      コネクタ
１０    ハウジング
１１    端子収容室
１３    取付孔
１９    被係止部
２０    スペーサ
２７    係止突起（係止部）
２８    切欠き部
３０    端子
Ｓ      隙間
Ｚ      支点部
【図１】
2020173925.tif 000003
【図２】
2020173925.tif 000004
【図３】
2020173925.tif 000005
【図４】
2020173925.tif 000006
【図５】
2020173925.tif 000007